【事件の表示】
　特願２００４−２８６３０９「キャップ付き容器」拒絶査定不服審判事件〔平成１８年　４月１３日出願公開、特開２００６−　９６３９８〕について、次のとおり審決する。
【結　論】
　本件審判の請求は、成り立たない。
【理　由】
１　手続の経緯
　本願は、平成１６年９月３０日の出願であって、平成２２年８月３１日付けで拒絶査定がなされ、これに対し、同年１１月２６日に拒絶査定を不服として審判請求がなされたものである。そして、平成２３年７月２０日付けで当審から拒絶理由が通知され、同年９月１４日付けで手続補正がなされたものである。
　
２　本願発明
　本願の特許請求の範囲の請求項１に係る発明は、平成２３年９月１４日付け手続補正により補正された特許請求の範囲、明細書及び図面の記載からみて、その特許請求の範囲の請求項１に記載された次のとおりのものであると認められる。
　
　「胴部（４）より肩部（５）を介して口頸部（６）を起立した容器体（２）と、前記口頸部外周に螺着させたキャップ（３）とからなるキャップ付き容器であって、前記肩部（５）上に隆起形成した環状の係合外周面（ f o）と、前記キャップ周壁（20）内周下端部に設け且つキャップ螺着終点時に前記係合外周面に係合する係合内周面（ f i）とを備え、前記係合外周面及び前記係合内周面は、直線と外方へ膨出する曲線とを交互に連続した略六角形状の平面視形状をなす如く構成し、前記キャップ（３）の螺着終点時に、前記係合外周面（ f o）を構成する第１直線面部（s1) と前記係合内周面（ f i）を構成する第２直線面部（s2）とが互いに密接し、且つ、前記係合外周面（ f o）を形成する第１曲線面部（c1) と前記係合内周面（ f i）を構成する第２曲線面部（c2）との間にそれぞれ隙間（ｄ）が生じる如く構成したことを特徴とするキャップ付き容器。」
　
３　引用発明
　これに対して、当審における、平成２３年７月２０日付けで通知した拒絶の理由に引用された、本願の出願日前に頒布された刊行物である実願昭４６−９７５９号（実開昭４７−８５５８号）のマイクロフィルム（以下、「引用例１」という。）、実願昭５２−３６５１０号（実開昭５３−１３５２６０号）のマイクロフィルム（以下、「引用例２」という。）、及び実公昭５５−１６８３７号公報（以下、「引用例３」という。）には、それぞれ以下の事項が記載されている。
　
［引用例１について］
（１）「中空柱状をなす容器口部の基部とこれに係合すべきキャップ基部が、それぞれ回転方向に沿つて角度的に離隔した位置に密接停止部と、これらを連結して閉じた回転周部を完成する連結周部とからなり、キャップを装着したときに前記容器口部およびキャップの両基部の対応する密接停止部が合致することを特徴とする着脱容易なキャップ取付機構。」（実用新案登録請求の範囲）
　
（２）「１は中空柱状をなす容器本体であり、その口部はほゞ中空柱状をなし、外壁部にはたとえば多重ねじなどのリードの大きいねじ条１２が外周をひと回りする程度に設けられ、口部の基部１１は第２図に示すように多角形に形成される。
この多角形の辺ＡＢ、ＥＦ、ＣＤおよびＧＨは正多角形たとえば正八角形の構成辺とし、他の点ＢＣ、ＤＥ、ＦＧ、ＨＡなどはそれらの各端点を連結した直線状の辺とする。
　次に第３図についてこの容器１の基部１１に係合すべきキャップ３の基部３２の端部形状を説明すると、これは容器口部と同様に多角形状をなし、辺Ａ’Ｂ’、Ｃ’Ｄ’、Ｅ’Ｆ’およびＧ’Ｈ’はそれぞれ前記ＡＢ、ＣＤ、ＥＦおよびＧＨの各辺と同様正八角形の構成辺とし、それらの各端点を円弧Ｂ’Ｃ’、Ｄ’Ｅ’、Ｆ’Ｇ’、Ｈ’Ａ’で連結したものである。なお３１はねじ条１２に係合すべきねじ溝であり、２は外キャップである。
　以上に説明したキャップ取付機構の構成においては、キャップ３はその回転に際してリードの大きいねじによつて容器に対して軸方向に大きく進退すると同時に、キャップ３の基部３２の内壁部は容器口部の基部１１の外壁部に対して、前述した対応する多角形構成辺が互いに密接する位置にあるとき、カチッと回転の一時停止の手ごたえがありその他の位置関係の場合はキャップの側の円弧辺が容器側の基部の各角点の外側を回ることになり容易に回転することができる。
　キャップが根元まで係合したときに前記の多角形の対応辺が密接するように構成しておけば、前述した手ごたえにより容易にキャップが容器に確実にかぶせられた状態を確認することができる。なお容器本体１の断面およびキャップ基部の下フランジ部３３を図示のようにたとえば正方形としておけば、この両正方形の角が合致するときに前記基部の多角形の対応辺が密接するようにしておけば外観の直視により容易にキャップの装着を確認することができる。」（明細書２ページ１６行〜４ページ１２行）
　
（３）「第４図および第５図は本考案の別の実施例についての、それぞれ第２図および第３図に対応するものである。この実施例においては容器１０１の口部の基部は前の実施例のように多角形でなく円形をなしその少なくとも円周等分２個所に半径方向外側に突出した円弧部１１１を有するものであり、（中略）。
　本考案の構成をこの変形実施例を基準としてみれば、前述の第一実施例は円周の円弧の一部に直線部を設けたものとして理解できるのである。さらに観方を進めれば両実施例に共通な構成は、キャップおよび容器口部の係合部が回転方向に沿つて角度的に離隔した密接停止部（第一実施例においては正多角形の対応辺、ＡＢとＡ’Ｂ’−−−など、・・・を指す）と、またこれらの密接停止部を結んで全体として閉じた回転周部を完成する連結周部（第一の実施例では辺ＢＣや、弧Ｂ’Ｃ’など、・・・をさす）とからなることである。」（明細書４ページ１４行〜６ページ３行）
　
（４）第１図には、胴部より肩部を介して容器口部を起立し、前記肩部上に前記容器口部の基部を隆起形成した容器本体１の該容器口部の外周に、キャップ３が螺着されたキャップ付き容器が記載されている。
　
　以上の記載事項によると、引用例１には次の発明（以下、「引用発明」という。）が記載されていると認められる。
　
　「胴部より肩部を介して容器口部を起立し、前記肩部上に該容器口部の基部を隆起形成した容器本体と、前記容器口部外周に螺着させたキャップとからなるキャップ付き容器であって、前記容器口部の基部及びこれに係合すべき前記キャップの基部の端部は、それぞれ回転方向に沿つて角度的に離隔した位置にある密接停止部と、これらを連結して閉じた回転周部を完成する連結周部とからなる多角形状の平面視形状をなすものであり、前記容器口部の基部の密接停止部及び前記キャップの基部の密接停止部並びに前記容器口部の基部の連結周部は平面視形状が直線状に形成され、前記キャップの基部の連結周部は平面視形状が円弧状に形成され、前記キャップが根元まで係合したときに前記容器口部及びキャップの両基部の対応する密接停止部が密接し、前記容器口部及びキャップの両基部の対応する密接停止部が密接する位置関係でない場合は、前記キャップの側の連結周部が前記容器側の基部の各角点の外側を回る、キャップ付き容器。」
　
［引用例２について］
（１）「開口肩部の膨出基部の外縁部をほゞ四角形状に切断して夫々に起立辺形成してなる非円筒形容器身体と、前記膨出基部の対応する起立辺を両側から挾持し得る一対の挾持板を内壁面に設けてなる非円筒形蓋との組合せよりなる位置合せ容器。」（実用新案登録請求の範囲）
　
（２）「第１図乃至第３図に於て、Ａは楕円形状の容器身体であつて、その開口肩部にはまんじゅう状の膨出基部１が突設されると共にこの膨出基部１の外縁部は四角形状に切除され対応するやゝ彎曲した長い起立辺ａと対応する短い起立辺ｂとより構成されている。」（明細書３ページ１〜６行）
　
［引用例３について］
（１）「胴部横断面を細長状とした容器体胴部２の肩部５からキャップ螺合用口頸部７を突出させてなる容器体１と、頂壁１２の周縁から容器体胴部と同一の横断面形状をなす外周壁１６を垂設させると共にその頂壁裏面からは容器体口頸部７への螺合用筒部１３を垂設させた適宜弾性ある合成樹脂製キャップ１１とからなるキャップ付き容器において、上記キャップ外周壁横断面の長手方向を形成する壁部１５，１５の下端中間内面に位置合せ用の第２係合部１５ａ，１５ａを形成させると共に該キャップを口頸部へ螺合させて容器体胴部外壁面の延長上方にキャップ外周壁外面が位置したとき、上記第２係合部へ係止可能な第１係合部１０，１０を、容器体肩部の上面で口頸部の基部周辺に膨出部を設けてこれに形成させ、第１係合部と第２係合部との係合にその係合箇所以外でキャップ外周壁と膨出部との間で十分な空間を保有させたことを特徴とするキャップ付き容器。」（実用新案登録請求の範囲）
　
（２）「胴部２の上端面はほゞ水平な肩部５に形成され、該肩部から基部周面を膨出部とすると共にこれをテーパ部６とし外面にねじ８を設けた口頸部７が突出され、肩部５の長手方向辺縁３ａ，３ａ部分において、テーパ部６の下縁部は長手方向を形成する壁部３，３と平行方向に、かつ上記両辺縁３ａ，３ａとの間にキャップ周壁下端載置部９，９を形成させて、第１係合部１０，１０としての起立壁面が形成されている。」（２欄１７〜２５行）
　
４　対比
　本願発明と引用発明とを対比すると、引用発明における「容器口部」、「容器本体」、「キャップ」及び「キャップ付き容器」は、本願発明の「口頸部」、「容器体」、「キャップ」及び「キャップ付き容器」に相当する。
　また、引用発明における「キャップが根元まで係合したとき」とは、本願発明における「キャップ（３）の螺着終点時」に相当し、
引用発明の「容器口部の基部」は、肩部上に隆起形成され、多角形状の平面視形状をなすものであって、キャップが根元まで係合したときにその外周にキャップの基部の内周面が係合することから、本願発明における「環状の係合外周面」を備え、
引用発明における「キャップの基部の端部」は、キャップが根元まで係合したときに、容器口部の基部の外周面に係合する内周面を有することから、本願発明における「係合内周面」を備え、
引用発明における「容器口部の基部」は「回転方向に沿つて角度的に離隔した位置にある密接停止部と、これらを連結して閉じた回転周部を完成する連結周部とからなる多角形状の平面視形状をな」すことと、本願発明における「係合外周面は、直線と外方へ膨出する曲線とを交互に連続した略六角形状の平面視形状をなす」こととは、「係合外周面は、略多角形状の平面視形状をなす」点で一致し、
引用発明における「キャップの基部の密接停止部」は、「平面視形状が直線状に形成され」、引用発明における「キャップの基部の連結周部」は、「平面視形状が円弧状に形成され」ることから、引用発明における「キャップの基部の端部は、それぞれ回転方向に沿つて角度的に離隔した位置に密接停止部と、これらを連結して閉じた回転周部を完成する連結周部とからなる多角形状の平面視形状をな」すことと、本願発明における「係合内周面は、直線と外方へ膨出する曲線とを交互に連続した略六角形状の平面視形状をなす」こととは、「係合内周面は、直線と外方へ膨出する曲線とを交互に連続した多角形状の平面視形状をなす」点で一致し、
引用発明における「容器口部の基部の密接停止部」は、「平面視形状が直線状に形成され」ることから、本願発明における「第１直線面部」を形成し、引用発明における「キャップの基部の密接停止部」は、平面視形状が直線状に形成され」ることから、本願発明における「第２直線面部」を形成しているので、引用発明における「キャップが根元まで係合したときに容器口部及びキャップの両基部の対応する密接停止部が密接」することは、本願発明における「キャップ（３）の螺着終点時に、前記係合外周面（ f o）を構成する第１直線面部（s1) と前記係合内周面（ f i）を構成する第２直線面部（s2）とが互いに密接」することに相当し、
引用発明における「容器口部の基部の連結周部」と本願発明における「第１曲線面部」とは、第１直線面部の間にある「第１面部」を形成する点で一致し、引用発明における「キャップの基部の連結周部」は、「平面視形状が円弧状に形成され」ることから、本願発明における「第２曲線面部」を形成しているので、引用発明における「容器口部及びキャップの両基部の対応する密接停止部が密接する位置関係でない場合は、キャップの側の連結周部が容器側の基部の各角点の外側を回る」ことと、本願発明における「キャップ（３）の螺着終点時に」、「係合外周面（ f o）を形成する第１曲線面部（c1) と係合内周面（ f i）を構成する第２曲線面部（c2）との間にそれぞれ隙間（ｄ）が生じる如く構成したこと」とは、幾何学的にみて、「キャップの螺着終点時に、係合外周面を形成する第１面部と係合内周面を構成する第２曲線面部との間にそれぞれ隙間が生じる如く構成した」点で一致する。
　したがって、両者は
　
「胴部より肩部を介して口頸部を起立した容器体と、前記口頸部外周に螺着させたキャップとからなるキャップ付き容器であって、前記肩部上に隆起形成した環状の係合外周面と、前記キャップ周壁内周下端部に設け且つキャップ螺着終点時に前記係合外周面に係合する係合内周面とを備え、前記係合外周面は、略多角形状の平面視形状をなす如く構成し、係合内周面は、直線と外方へ膨出する曲線とを交互に連続した略多角形状の平面視形状をなす如く構成し、前記キャップの螺着終点時に、前記係合外周面を構成する第１直線面部と前記係合内周面を構成する第２直線面部とが互いに密接し、かつ、前記係合外周面を形成する第１面部と前記係合内周面を構成する第２曲線面部との間にそれぞれ隙間が生じる如く構成したキャップ付き容器」
　
である点で一致し、以下の点で相違する。
　
［相違点１］
　本願発明では、係合外周面及び係合内周面は、略六角形状の平面視形状をなす如く構成されているのに対し、引用発明では、略多角形状の平面視形状をなす点。
　
［相違点２］
　本願発明では、係合外周面を形成する第１面部が、平面視形状が外方を膨出する曲線となる曲線面部であるのに対し、引用発明では、平面視形状が直線状となる点。
　
５　判断
　上記各相違点について検討する。
［相違点１］
　容器口部の基部及びキャップの基部の端部の平面視形状を構成する辺の数は、密接停止部の数により決まるものであるところ、該密接停止部の数は当業者が適宜決定し得る設計的事項にすぎないから、引用発明において、「密接停止部」を３箇所形成し、「容器口部」及び「キャップの基部の端部」の平面視形状を略六角形状とすることは、当業者であれば容易になし得たものであって、格別の効果を奏するものでもない。
　
［相違点２］
　上記３［引用例１について］（３）のとおり、引用例１には、容器口部の基部の平面視形状を多角形状とした第一実施例は、円周の円弧の一部に直線部を設けたものとして理解できると記載されている。
　そして、キャップの螺着終点時に該キャップの係合部と肩部上に隆起形成された容器口部の基部の係合部とが密接するように構成されたキャップ付き容器において、前記基部の平面視形状が、回転方向に沿って角度的に離隔した複数の位置の円周の円弧を直線部とした多角形状となるように、前記基部に直線面部を構成する係合部を形成し、前記基部の前記係合部以外の部分を曲線面部とすることは、引用例２〜３にも記載があるように、当業者にとって周知の技術手段であるから、引用発明において、「容器口部の連結周部」が平面視形状が外方へ膨出する曲線となるように構成し、前記容器口部の連結周部を曲線面部とすることは、当業者であれば容易になし得たものであって、その効果も当業者が予測し得た範囲のものであって、格別なものではない。
　
　なお、平成２３年９月１４日付け意見書の（３−５）において「本願発明では上記した如く、直線と曲線との境目が滑らかな状態を維持でき、その結果、係合外周面及び係合内周面ともに尖った部位が存在せず係脱時に角部が削れたり、極端な変形を起こしたりする等の不都合を解消することを目的としており、一方、引用文献２、３には、単にキャップが根元まで係合したときに該キャップと密接しない容器口部の基部の部分を、該容器口部を上方か
ら見たときの平面視形状が外方へ膨出する曲線となる点が示されているに止まり、上記した本願発明の作用・効果を発揮する上でこの曲線を設けた点に関して何らか記載はない。」と主張している。しかし、係合外周面及び係合内周面を、係脱時に削れや極端な変形等の不都合が生じないように形成することは、当業者にとって自明な課題であり、上記課題を解決するために、係合外周面に角部を形成する際に、該角部をとがらせず頂角を大きく形成することも、本願出願前に普通に採用されていることである。そして、引用例２〜３において、容器口部の基部の、キャップと密接しない部分を、外方へ膨出する曲線面部とすることで、該部分を直線面部としたときに比して、該容器口部の基部の角部がとがらず滑らかとなることは、幾何学的にみて明らかであるし、キャップと密接しない上記部分を直線面部としたときに比して、係脱時の角部の削れ等の不都合が低減される効果を奏し得ることも、当業者であれば了知し得る事項である。
　
６　むすび
　したがって、本願発明は、引用発明に基づいて、当業者が容易に発明をすることができたものであるので、特許法第２９条第２項の規定により特許を受けることができないから、本願は拒絶をすべきものである。
　よって、結論のとおり審決する。